(57)【要約】【課題】特定のグループ内でより効果的に情報を共有することができる映像表示装置、サーバ、携帯端末、映像表示方法、及びシステムを提供すること。【解決手段】この映像表示装置１００は、映像コンテンツを表示画面に表示させるコンテンツ制御部１１２と、携帯端末２００が送信する端末情報を取得する端末情報取得部１３１と、上記携帯端末２００のユーザの属性を表したユーザ情報が記録されたユーザ情報記憶部１２１と、上記端末情報取得部１３１が取得した端末情報を、当該端末情報を送信した携帯端末のユーザ情報に基づいて、上記表示画面に表示させる端末情報制御部１１０と、を有する。【選択図】図５
2010061416.tif 000002
【特許請求の範囲】
【請求項１】
映像コンテンツを表示画面に表示させるコンテンツ制御部と、
携帯端末が送信する端末情報を取得する端末情報取得部と、
前記携帯端末のユーザの属性を表したユーザ情報が記録されたユーザ情報記憶部と、
前記端末情報取得部が取得した端末情報を、当該端末情報を送信した携帯端末のユーザ情報に基づいて、前記表示画面に表示させる端末情報制御部と、
を有する、映像表示装置。
【請求項２】
前記端末情報制御部は、前記端末情報取得部が一の前記ユーザの携帯端末から送信された複数の端末情報を取得した場合、前記ユーザ情報記憶部に記録されたユーザ情報に基づいて、前記複数の端末情報を関連付けて前記表示画面に表示させる、請求項１に記載の映像表示装置。
【請求項３】
前記端末情報制御部は、前記表示画面に既に表示させている端末情報を送信した携帯端末から、前記端末情報取得部が新たな端末情報を取得した場合、前記既に表示させている端末情報に前記新たな端末情報を追加して表示させる、請求項２に記載の映像表示装置。
【請求項４】
前記端末情報は、前記ユーザが前記携帯端末に入力した文字情報、前記携帯端末の位置を表す位置情報、及び、前記携帯端末に記録された端末コンテンツのうち少なくとも１つを含み、
前記端末情報制御部は、前記文字情報、前記位置情報、及び前記端末コンテンツの少なくとも１つを前記表示画面に表示させる、請求項１に記載の映像表示装置。
【請求項５】
前記端末情報制御部は、前記端末情報取得部が取得した前記端末情報に前記位置情報が含まれる場合、前記位置情報を表した地図を前記表示画面に表示させる、請求項４に記載の映像表示装置。
【請求項６】
前記端末情報制御部は、前記端末情報取得部が一の前記ユーザの携帯端末から送信された複数の位置情報を取得した場合、当該複数の位置情報を表した一の地図を前記表示画面に表示させる、請求項５に記載の映像表示装置。
【請求項７】
前記端末情報制御部は、前記端末情報を、前記コンテンツ制御部が表示させている映像コンテンツと共に前記表示画面に表示させる、請求項１に記載の映像表示装置。
【請求項８】
携帯端末が送信する端末情報を取得して端末情報記憶部に記録する端末情報制御部と、
映像コンテンツを表示画面に表示させる映像表示装置が有するユーザ情報記憶部から、前記携帯端末のユーザの属性を表したユーザ情報を取得するユーザ情報制御部と、
前記端末情報制御部が前記端末情報を取得した場合、当該端末情報と、前記ユーザ情報とに基づいて、当該端末情報を送信した携帯端末のユーザに提供する提供情報を当該携帯端末に送信する提供情報制御部と、
を有する、サーバ。
【請求項９】
映像コンテンツを表示画面に表示させる映像表示装置の前記表示画面に表示させるための端末情報を送信する端末情報制御部と、
前記端末情報制御部が送信した端末情報と、当該端末情報を送信したユーザの属性を表し前記映像表示装置に記録されたユーザ情報とに基づきサーバから送信されるユーザに提供する提供情報を取得して表示する表示制御部と、
を有する、携帯端末。
【請求項１０】
映像コンテンツを表示画面に表示させるコンテンツ表示ステップと、
携帯端末が送信する端末情報を取得する端末情報取得ステップと、
前記端末情報取得ステップで取得した端末情報を、当該端末情報を送信した携帯端末のユーザの属性を表したユーザ情報に基づいて、前記表示画面に表示させる端末情報表示ステップと、
を有する、映像表示方法。
【請求項１１】
携帯端末と、
前記携帯端末が送信する端末情報が記録されるサーバと、
映像コンテンツを表示画面に表示する映像表示装置と、
を有し、
前記映像表示装置は、
前記サーバから前記端末情報を取得する端末情報取得部と、
前記携帯端末のユーザの属性を表したユーザ情報が記録されたユーザ情報記憶部と、
前記端末情報取得部が取得した端末情報を、当該端末情報を送信した携帯端末のユーザ情報に基づいて、前記表示画面に表示させる端末情報制御部と、
を有する、システム。
【発明の詳細な説明】
【技術分野】
【０００１】
本発明は、映像表示装置、サーバ、携帯端末、映像表示方法、及びシステムに関する。
【背景技術】
【０００２】
近年、様々な電子機器が家庭や会社など様々な場所に普及している。これらの電子機器のデジタル化に伴い、複数の電子機器内で情報を共有しようとする技術的な動向が存在する。このような情報の共有として、例えば、今や一人に一台普及しつつあるコンピュータや携帯電話などで、メールや掲示板が用いられている。
【発明の開示】
【発明が解決しようとする課題】
【０００３】
これらのコンピュータや携帯電話などは、個人向けの機器であり、例えば家族や会社などの特定のグループ内で情報を共有するには、各個人がコンピュータや携帯電話を利用してメールをチェックしたり、掲示板をチェックすることが必要となる。よって、例えば家族などの情報を共有することも可能ではあるが、この情報を家族などの特定のグループ単位で十分に共有できているとは言い切れない。
【０００４】
一方、各家庭にはテレビなどの映像表示装置が普及しており、このテレビもデジタル化が進んでいる。テレビは、チャンネルを選択するためなどにコントローラやボタンを有するが、このようなコントローラやボタンは、文字などの情報を入力するには不向きである。また、キーボードなどの別途の入力装置を接続するには、その入力装置を用意し、かつ、入力装置を接続するための接続機構を設ける必要があり、製造コストが増加する。
【０００５】
そこで、本発明は、上記問題に鑑みてなされたものであり、本発明の目的とするところは、特定のグループ内でより効果的に情報を共有することが可能な、新規かつ改良された映像表示装置、サーバ、携帯端末、映像表示方法、及びシステムを提供することにある。
【課題を解決するための手段】
【０００６】
上記課題を解決するために、本発明のある観点によれば、映像コンテンツを表示画面に表示させるコンテンツ制御部と、携帯端末が送信する端末情報を取得する端末情報取得部と、上記携帯端末のユーザの属性を表したユーザ情報が記録されたユーザ情報記憶部と、上記端末情報取得部が取得した端末情報を、当該端末情報を送信した携帯端末のユーザ情報に基づいて、上記表示画面に表示させる端末情報制御部と、を有する、映像表示装置が提供される。
【０００７】
この構成によれば、コンテンツ制御部により、映像コンテンツが表示画面に表示される。一方、端末情報取得部により、携帯端末が送信する端末情報が取得される。そして、端末情報制御部により、その端末情報が、端末情報を送信した携帯端末のユーザ情報に基づいて、表示画面に表示される。従って、映像表示装置を視ているユーザに、映像コンテンツだけでなく、ユーザ情報に基づいて表示される端末情報も提供することができる。
【０００８】
また、上記端末情報制御部は、上記端末情報取得部が一の上記ユーザの携帯端末から送信された複数の端末情報を取得した場合、上記ユーザ情報記憶部に記録されたユーザ情報に基づいて、上記複数の端末情報を関連付けて上記表示画面に表示させてもよい。
【０００９】
また、上記端末情報制御部は、上記表示画面に既に表示させている端末情報を送信した携帯端末から、上記端末情報取得部が新たな端末情報を取得した場合、上記既に表示させている端末情報に上記新たな端末情報を追加して表示させてもよい。
【００１０】
また、上記端末情報は、上記ユーザが上記携帯端末に入力した文字情報、上記携帯端末の位置を表す位置情報、及び、上記携帯端末に記録された端末コンテンツのうち少なくとも１つを含み、上記端末情報制御部は、上記文字情報、上記位置情報、及び上記端末コンテンツの少なくとも１つを上記表示画面に表示させてもよい。
【００１１】
また、上記端末情報制御部は、上記端末情報取得部が取得した上記端末情報に上記位置情報が含まれる場合、上記位置情報を表した地図を上記表示画面に表示させてもよい。
【００１２】
また、上記端末情報制御部は、上記端末情報取得部が一の上記ユーザの携帯端末から送信された複数の位置情報を取得した場合、当該複数の位置情報を表した一の地図を上記表示画面に表示させてもよい。
【００１３】
また、上記端末情報制御部は、上記端末情報を、上記コンテンツ制御部が表示させている映像コンテンツと共に上記表示画面に表示させてもよい。
【００１４】
また、上記課題を解決するために、本発明の別の観点によれば、携帯端末が送信する端末情報を取得して端末情報記憶部に記録する端末情報制御部と、映像コンテンツを表示画面に表示させる映像表示装置が有するユーザ情報記憶部から、上記携帯端末のユーザの属性を表したユーザ情報を取得するユーザ情報制御部と、上記端末情報制御部が上記端末情報を取得した場合、当該端末情報と、上記ユーザ情報とに基づいて、当該端末情報を送信した携帯端末のユーザに提供する提供情報を当該携帯端末に送信する提供情報制御部と、を有する、サーバが提供される。
【００１５】
また、上記課題を解決するために、本発明の別の観点によれば、映像コンテンツを表示画面に表示させる映像表示装置の上記表示画面に表示させるための端末情報を送信する端末情報制御部と、上記端末情報制御部が送信した端末情報と、当該端末情報を送信したユーザの属性を表し上記映像表示装置に記録されたユーザ情報とに基づきサーバから送信されるユーザに提供する提供情報を取得して表示する表示制御部と、を有する、携帯端末が提供される。
【００１６】
また、上記課題を解決するために、本発明の別の観点によれば、映像コンテンツを表示画面に表示させるコンテンツ表示ステップと、携帯端末が送信する端末情報を取得する端末情報取得ステップと、上記端末情報取得ステップで取得した端末情報を、当該端末情報を送信した携帯端末のユーザの属性を表したユーザ情報に基づいて、上記表示画面に表示させる端末情報表示ステップと、を有する、映像表示方法が提供される。
【００１７】
また、上記課題を解決するために、本発明の別の観点によれば、携帯端末と、上記携帯端末が送信する端末情報が記録されるサーバと、映像コンテンツを表示画面に表示する映像表示装置と、を有し、上記映像表示装置は、上記サーバから上記端末情報を取得する端末情報取得部と、上記携帯端末のユーザの属性を表したユーザ情報が記録されたユーザ情報記憶部と、上記端末情報取得部が取得した端末情報を、当該端末情報を送信した携帯端末のユーザ情報に基づいて、上記表示画面に表示させる端末情報制御部と、を有する、システムが提供される。
【発明の効果】
【００１８】
以上説明したように本発明によれば、特定のグループ内でより効果的に情報を共有することができる。
【発明を実施するための最良の形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
＜一実施形態の概要＞
まず、図１を参照しつつ、本発明の一実施形態に係るシステムの概要を説明する。図１は、本実施形態に係るシステムの概要を説明するための説明図である。
【００２１】
図１に示すように、本実施形態に係るシステム１は、大きく分けて、映像表示装置１００と、携帯端末２００と、サーバ３００とを有する。
【００２２】
映像表示装置１００は、放送局３で放送されて送信される「映像コンテンツ」受信装置（例えばアンテナ２）で受信して、その映像コンテンツを表示部１１０に表示させる。映像コンテンツとは、放送局３から放送される番組の映像やコマーシャルの映像などを表し、動画だけでなく静止画をも含み、更に音声をも含む。なお、ここでは説明の便宜上、映像表示装置１００が表示する映像コンテンツは、放送波であるとして説明する。しかし、本実施形態に係る映像表示装置１００は、例えば、有線放送された映像コンテンツ、所定の記録媒体に記録され再生装置で再生された映像コンテンツ、ゲーム機器や情報処理装置などで再生された映像コンテンツを表示することも可能である。
【００２３】
また、放送局３から送信される映像コンテンツには、「属性情報」なども含まれる。属性情報は、映像コンテンツの属性を表す情報である。映像コンテンツの属性には、例えば、その映像コンテンツの種別（ジャンル）・内容等の概略・出演者や制作者に関する情報・放送時間帯や放送チャンネル・その映像コンテンツが対象としている視聴者層・映像コンテンツに関連して視聴者に提供する情報などが含まれる。このような属性情報としては、例えば、ＥＰＳ（電子番組ガイド）などが挙げられる。
【００２４】
この映像表示装置１００としては、例えば、ブラウン管（ＣＲＴ：Ｃａｔｈｏｄｅ  Ｒａｙ  Ｔｕｂｅ）・液晶ディスプレイ（ＬＣＤ：Ｌｉｑｕｉｄ  Ｃｒｙｓｔａｌ  Ｄｉｓｐｌａｙ）・プラズマディスプレイ（ＰＤＰ：Ｐｌａｓｍａ  Ｄｉｓｐｌａｙ  Ｐａｎｅｌ）・電界放出ディスプレイ（ＦＥＤ：Ｆｉｅｌｄ  Ｅｍｉｓｓｉｏｎ  Ｄｉｓｐｌａｙ）・有機エレクトロルミネッセンスディスプレイ（有機ＥＬ、ＯＥＬＤ：Ｏｒｇａｎｉｃ  Ｅｌｅｃｔｒｏｌｕｍｉｎｅｓｃｅｎｃｅ  Ｄｉｓｐｌａｙ）・ビデオプロジェクタなどが挙げられる。
【００２５】
そして、映像表示装置１００は、所定の操作パネルに配置されたボタンなど、又は、操作ボタンなどが配置されたリモートコントローラ（以下「リモコン」ともいう。）４などから発せられる所定の信号に応じて動作する。以下では、ユーザの操作に応じてリモコン４が所定の操作信号を無線送信（例えば赤外線）し、映像表示装置１００がその操作信号を取得して、所定の動作を行う場合について説明する。
【００２６】
携帯端末２００は、ユーザが所持することが可能な端末である。携帯端末２００は、映像表示装置１００を視聴することがあるユーザ、又は、視聴するユーザと所定の関連があるユーザのそれぞれが、１又は２以上有する端末であることが望ましい。つまり、この携帯端末２００は、各ユーザが所有する端末であり、基本的にはそのユーザ専用の端末であることが望ましい。一方、このような携帯端末２００は、上述の通り、映像表示装置１００を視聴することがあるユーザ、又は、視聴するユーザと所定の関連があるユーザが所持することになる。ここで、視聴するユーザと携帯端末２００を有すユーザとの間にある所定の「関連」とは、例えば、家族・血縁・会社・組織・部署・友人関係などの所定のグループを意味する。もちろん、映像表示装置１００を視聴するユーザは、このようなグループ内のユーザに限定されるものではない。しかし、主として、このようなグループに属するユーザが上記映像表示装置１００を視聴し、かつ、携帯端末２００を有することが望ましい。また、ここでは、このグループ内のユーザの全員がそれぞれ個々の携帯端末２００を有する場合について説明する。しかしながら、このグループ内のユーザの１又は２以上が携帯端末２００を有していればよいことは言うまでもない。
【００２７】
このような携帯端末２００は、少なくともサーバ３００との通信機能を有する。この通信機能は、無線通信であっても、有線通信であってもよい。この携帯端末２００は、携帯電話、ノート型のパーソナルコンピュータ、ＰＤＡ（Ｐｅｒｓｏｎａｌ  Ｄｉｇｉｔａｌ  Ａｓｓｉｓｔａｎｔ）、携帯型の音楽又は映像再生装置、画像撮像装置、動画撮影装置など様々な機器であってもよい。説明の便宜上以下では、携帯端末２００が携帯電話である場合について説明する。携帯端末２００が他の携帯機器である場合、各機器は、それぞれ各機器が有する通信機能により、少なくともサーバ３００と通信を行う。ここでは、携帯端末２００は、携帯電話であるので、携帯電話の通話機能又はデータ送受信機能により、基地局６と無線通信を行い、サーバ３００と通信を行う。
【００２８】
サーバ３００は、例えば、インターネット・ＬＡＮ（Ｌｏｃａｌ  Ａｒｅａ  Ｎｅｔｗｏｒｋ）などのネットワーク５を介して映像表示装置１００及び携帯端末２００と通信可能に形成される。そして、本実施形態では、サーバ３００には、携帯端末２００から送られる端末情報などが蓄積され、映像表示装置１００は、この端末情報をサーバ３００から取得して、その端末情報を送信したユーザに応じて表示部１１０に表示することができる。なお、このサーバ３００については、以下で詳しく説明する。
【００２９】
＜一実施形態の各構成＞
以上、本発明の一実施形態に係るシステムの概要について説明した。
次に、図２〜図１０を参照しつつ、各構成についてより詳細に説明する。なお、以下では、携帯端末２００，サーバ３００，映像表示装置１００の順番で説明する。
【００３０】
（携帯端末２００）
図２は、本発明の一実施形態に係る携帯端末について説明するための説明図である。
図２に示すように、携帯端末２００は、端末情報制御部２０１と、端末情報記憶部２０２と、表示制御部２０３と、表示部２１０とを有する。
【００３１】
端末情報制御部２０１は、映像表示装置１００の表示部１１０に表示するための端末情報を、サーバ３００に送信する。この「端末情報（以下『メッセージ』ともいう。）」は、上述の通り、映像表示装置１００の表示部１１０に表示するための情報であり、大きく分けて、送信情報と、ＩＤ（Ｉｄｅｎｔｉｆｉｃａｔｉｏｎ）情報と、文字情報と、端末コンテンツとを含む。
【００３２】
「送信情報」は、そのメッセージが送信された際の携帯端末２００のおかれた状況を表す情報である。この送信情報には、例えば、メッセージが送信された時刻情報及び位置情報などが含まれる。なお、位置情報は、例えば、携帯端末２００がＧＰＳ（Ｇｌｏｂａｌ  Ｐｏｓｉｔｉｏｎｉｎｇ  Ｓｙｓｔｅｍ）機能を有している場合、そのＧＰＳ機能により特定される位置情報であってもよい。また、位置情報は、例えば、携帯端末２００がＧＰＳ機能を有していない場合、そのメッセージの送信時に使用された基地局６の位置情報であってもよい。なお、位置情報は、ユーザによる携帯端末２００の操作に応じて、添付するか否かが決定され、必ずしも送信情報に含まれる必要はない。また、この送信情報は、例えば、端末情報制御部２０１が、メッセージを送信する際に時刻情報及び位置情報を特定して、そのメッセージに付加してもよい。更に、この送信情報は、例えば、基地局６が、同様にメッセージを受信した時に、時刻情報及び位置情報を特定して、そのメッセージに付加してもよい。
【００３３】
「ＩＤ情報」は、そのメッセージを送信した携帯端末２００を特定するための識別情報であり、例えば、携帯端末２００のＩＤ番号を使用することができる。このＩＤ番号としては、新たに設けた識別情報であってもよいが、既存の識別情報を使用することも可能である。例えば、携帯端末２００が携帯電話である場合、携帯電話固有の電話番号やメールアドレスなどをＩＤ情報として使用することも考えられる。またこのＩＤ情報には、送信される端末情報（メッセージ）を個々に区別して管理するための端末情報のＩＤも含まれる。この「端末情報のＩＤ」は、各端末情報毎に異なるように付される。なお、上記の携帯端末２００の識別情報と携帯情報のＩＤと区別するために、ここでは、端末情報のＩＤ情報を「メッセージＩＤ」ともいい、端末のＩＤ情報を「端末ＩＤ」ともいう。つまり、各メッセージは、メッセージＩＤのみ、または、メッセージＩＤと、端末ＩＤ及び下記の時刻情報との組み合わせにより、相互に区別可能である。この端末ＩＤは、予め設定され端末情報記憶部２０２に記録されており、メッセージＩＤは、端末情報制御部２０１がメッセージを送信する際に付加することが望ましい。
【００３４】
「文字情報」は、そのメッセージに含まれる主の情報であり、例えば、ユーザの操作に応じた端末情報制御部２０１が生成してもよく、予め端末情報記憶部２０２に記録されていてもよい。この文字情報としては、例えば、映像表示装置１００を視聴しているか、又は視聴する可能性のあるユーザに宛てて、携帯端末２００のユーザが作成する情報であってもよい。また、この文字情報には、そのメッセージを表示する際に使用される「設定情報」が含まれてもよい。設定情報は、メッセージを映像表示装置１００の表示部１１０にどのような形態で表示させるのかを表した情報である。この設定情報としては、例えば、表示部１１０に文字情報を表示させる際の文字の色、カードの色、メッセージに付加するマーク（タグ）の種類などが挙げられる。後述するように、各メッセージは、映像表示装置１００の表示部１１０上に、各ユーザ等に応じて表示されるが、その際、各メッセージは、例えば、掲示板にピン留めして張られたカード（紙片）のような形態で表示される（図６参照）。よって、設定情報のうち、文字の色は、そのカードに記載される文字情報の色を表し、カードの色は、そのカード自体の色を表す。そして、マークは、例えば、ユーザの思考・感情・印象などを表した顔を模したマークであってもよい。他にも例えば、マークは、絵文字、携帯電話のメールで使用されるようなマークなど様々なマークであってもよい。また、この設定情報には、更に、例えば、カードを留めるピンの色や種類、カードの形状などが含まれてもよい。なお、メッセージ（端末情報）は、この文字情報を主として含むが、文字情報を含まず、他の端末コンテンツや位置情報などを含んでもよい。つまり、メッセージには、上記の位置情報、この文字情報、及び下記の端末コンテンツのうち少なくとも１つを含むことが望ましい。なお、メッセージに、文字情報が含まれない場合でも、設定情報は含まれることが望ましい。以下では説明の便宜上、メッセージに文字情報、端末コンテンツ及び位置情報の全てが含まれるとして説明する。
【００３５】
「端末コンテンツ」は、画像、映像、音楽などのコンテンツを表した情報であり、端末情報記憶部２０２に予め記録される。例えば、携帯端末２００が携帯電話である場合、昨今の携帯電話にはカメラやマイクが備えられる。従って、この端末コンテンツは、このような撮像装置及び集音装置により、予め撮像、撮影、録音され、端末情報記憶部２０２に記録されていてもよい。また、端末コンテンツは、携帯電話により、ネットワーク５を介して情報公開サーバ（図示せず）などから取得され、端末情報記憶部２０２に記録されていてもよい。また、この端末コンテンツが記録されるタイミングは、端末情報制御部２０１がメッセージを送信する前でもよく、送信する時でもよい。なお、端末情報制御部２０１がメッセージを送信時に、携帯端末２００が端末コンテンツを取得する場合には、端末情報記憶部２０２に一旦記録されなくてもよい。
【００３６】
このようなメッセージ（端末情報）の一例を以下の表１に示す。端末情報制御部２０１は、表１に示すようなメッセージを、サーバ３００に送信する。なお、端末情報制御部２０１は、このメッセージをユーザの操作に応じて何回でも送信することができる。
【００３７】
【表１】
2010061416.tif 000003
【００３８】
端末情報制御部２０１は、上記のようなメッセージを生成し、サーバ３００に送信するが、このメッセージを送信する際に、サーバ３００（例えば専用のＷｅｂページなど）にアクセスする。そして、サーバ３００にアクセスした時点で、端末情報制御部２０１は、メッセージ（端末情報）に含まれる少なくとも一部の情報を、サーバ３００に送信する。このアクセス時に送信する情報としては、例えば、送信情報及びＩＤ情報が挙げられる。そして、端末情報制御部２０１は、サーバ３００へのアクセス中に文字情報、設定情報及び端末コンテンツを生成又は取得して、再度サーバ３００に送信する。なお、この際、端末情報制御部２０１は、再度送信情報をもサーバ３００に送信してもよい。
【００３９】
表示制御部２０３は、端末情報制御部２０１が上記メッセージ（端末情報）を生成・送信等する際に、ユーザによる携帯端末２００の操作を補助するために、所定の画像を表示部２１０に表示する。従って、ユーザは、その表示部２１０に表示された画像を参照しつつ、携帯端末２００を操作し、携帯端末２００は、その操作に応じて、メッセージを生成・送信等する。
【００４０】
この表示制御部２０３は、併せて、サーバ３００から送信される「提供情報」を表示部２１０に表示させる。この提供情報は、ユーザに提供するために、サーバ３００又は他の提供情報生成サーバ（図示せず）により生成される。提供情報は、個々のユーザに応じて、そのユーザにとって有益と思われる情報が含まれる。提供情報としては、例えば、広告、ユーザに通知すべき情報などが挙げられ、他にも様々な情報が使用可能である。なお、この提供情報と、その生成過程については、サーバ３００で説明する。
【００４１】
ここで、図３に表示制御部２０３が表示部２１０に表示させる画像の一例を示す。図３は、本実施形態に係る携帯端末が表示画面に表示させる画像の一例を説明するための説明図である。
【００４２】
携帯端末２００は、メッセージ（端末情報）を生成・送信する際に、図３のような画像を表示画面に表示させる。この表示画面には、メッセージ記入欄ＩＭが設けられており、ユーザの操作に応じた文字情報がこのメッセージ記入欄ＩＭに入力される。この入力は、携帯電話のキー（ボタン）で行われる。携帯電話のユーザは、キーによりメールなどを入力することに慣れていることが多い。よって、例えば、このように携帯電話の操作部を使用して文字情報を入力することにより、テレビのリモートコントローラなどを使用して文字を入力するよりも操作性が向上する。
また、入力画面には、入力部Ｃ１，Ｃ２が設けられる。この入力部Ｃ１，Ｃ２は、プルダウンなどにより操作される。入力部Ｃ１には、文字の色が入力される。入力部Ｃ２には、カードの色が入力される。文字の色としては、例えば、黒・赤・青・緑・黄色などが挙げられ、カードの色としては、例えば、白・桃・水・草・檸・橙色などが挙げられる。そして、ユーザは、この入力部Ｃ１又は入力部Ｃ２を操作することにより、文字の色又はカードの色を選択する。すると、その操作に応じて、端末情報制御部２０１が、文字の色に相当する設定情報やカードの色に相当する設定情報（例えば、数値など）を生成する。なお、図３には示していないが、例えば、表示画面には、入力部Ｃ１，Ｃ２と同様な他の入力部が配置され、その入力部により、マークの種類が入力されてもよい。なお、マークが感情などを表現した顔を模したマークである場合、マークの種類としては、例えば、笑・泣・喜・怒・哀・楽・疑問・了解・はにかみ・苦笑い・戸惑いなどが挙げられる。更に、入力画面には、他の入力部（図示せず）が設けられ、その入力部には、端末コンテンツが入力されてもよい。この場合、この入力部には、例えば、ユーザの操作に応じて、端末コンテンツが記録されている位置を指定する情報（例えばＵＲＩ（Ｕｎｉｆｏｒｍ  Ｒｅｓｏｕｃｅ  Ｉｄｅｎｔｉｆｉｅｒ）・パス・ファイル名など）が入力される。
そして、入力画面に設けられた「送信」ボタンＢ１がユーザの操作により選択されると、端末情報制御部２０１が、上記設定された各情報に基づいて、端末情報（メッセージ）を生成して、サーバ３００に送信する。一方、他の「取消」ボタンＢ２がユーザの操作により選択されると、端末情報制御部２０１は、動作を中止、停止又は終了する。
一方、入力画面には、更に提供情報エリアＰが設けられており、この提供情報エリアＰには、サーバ３００から送信される提供情報が表示される。従って、ユーザは、携帯端末２００の操作中にこの提供情報を参照することができる。
【００４３】
（サーバ３００）
図４は、本発明の一実施形態に係るサーバについて説明するための説明図である。
図４に示すように、サーバ３００は、端末情報取得部３０１と、端末情報記憶部３０２と、地図情報生成部３０３と、ユーザ情報取得部３１１と、ユーザ情報記憶部３１２と、提供情報制御部３２１と、提供情報記憶部３２２と、を有する。
【００４４】
端末情報取得部３０１は、携帯端末２００から送信されるメッセージ（携帯情報）を取得する。そして、端末情報取得部３０１は、このメッセージを端末情報記憶部３０２に記録する。なお、端末情報取得部３０１は、メッセージを端末情報記憶部３０２に新たに追加記録してもよいが、メッセージの内容に応じて、端末情報記憶部３０２に既に記録されているメッセージに追加又は変更を加えてメッセージを更新することも可能である。
【００４５】
地図情報生成部３０３は、端末情報取得部３０１が取得したメッセージ中に位置情報が含まれる場合、その位置情報に基づいて、位置情報の位置とその周囲を表した地図情報を生成する。この地図情報生成部３０３は、位置情報から地図情報を生成する機能を有し、自ら地図情報を生成してもよい。また、地図情報生成部３０３は、位置情報から地図情報を生成する機能を有する他の地図検索サーバ（図示せず）に地図情報を生成させて、その地図情報を取得してもよい。地図情報生成部３０３は、生成した地図情報をメッセージに付加して、端末情報記憶部３０２に記録する。
【００４６】
ユーザ情報取得部３１１は、映像表示装置１００からユーザ情報を取得する。そして、ユーザ情報取得部３１１は、このユーザ情報をユーザ情報記憶部３１２に記録する。
【００４７】
「ユーザ情報」とは、各携帯端末２００のユーザの属性を表した情報である。ユーザの属性としては、そのユーザが有する携帯端末２００のＩＤ情報（端末ＩＤ）・ユーザの年齢・性別・グループ内での地位や続柄（例えば父・母・子・社長・部長など）・ユーザの名前やニックネーム・ユーザの誕生日などが挙げられる。このようなユーザ情報は、映像表示装置１００を視聴しうるユーザがその映像表示装置１００に予め入力することにより、予め映像表示装置１００のユーザ情報記憶部１２１に記録される。そして、ユーザ情報取得部３１１は、このユーザ情報を映像表示装置１００から取得する。
【００４８】
このようなユーザ情報の一例を以下の表２に示す。ユーザ情報取得部３１１は、表２に示すようなユーザ情報を、映像表示装置１００から取得する。なお、このユーザ情報は、各携帯端末２００毎に設定され、予め映像表示装置１００に入力されて記録される。
【００４９】
【表２】
2010061416.tif 000004
【００５０】
提供情報制御部３２１は、端末情報取得部３０１がメッセージを取得した場合、そのメッセージと、ユーザ情報記憶部３１２に記録されたユーザ情報とに基づいて、提供情報を携帯端末２００に送信する。上述の通り、この提供情報が、携帯端末２００の表示部２１０に表示されることになる。
【００５１】
提供情報は、上述の通り、ユーザに提供するための情報であり、個々のユーザに応じて、そのユーザにとって有益と思われる情報が含まれる。そして、提供情報としては、例えば、広告、ユーザに通知すべき情報など様々な情報が含まれる。特にこの提供情報は、個々のユーザに応じた情報であり、提供情報制御部３２１は、個々のユーザに応じた提供情報を携帯端末２００に表示させることができる。
【００５２】
この提供情報は、例えば、提供情報制御部３２１により生成されてもよく、他の提供情報生成サーバ（図示せず）により生成されてもよい。また、提供情報は、例えば、予め生成され提供情報記憶部３２２に予め記録されてもよい。
【００５３】
この提供情報の生成過程について、提供情報制御部３２１が生成する場合の例について説明する。ただし、他の提供情報生成サーバが生成する場合も同様に生成することができる。
【００５４】
提供情報制御部３２１は、予め提供情報記憶部３２２に記録された提供情報、又は、他の提供情報公開サーバ（図示せず）が公開している提供情報を取得して、携帯端末２００に送信する提供情報を生成する。この際、提供情報制御部３２１は、メッセージ及びユーザ情報に基づいて、提供情報を検索又は抽出等して、その提供情報を取得する。この提供情報の検索又は抽出などの方法では、メッセージ及びユーザ情報に応じて個々のユーザに適した有益な情報を検索又は抽出等でき、様々なバリエーションが考えれる。
【００５５】
例えば、提供情報制御部３２１は、ユーザの続柄や地位に応じた提供情報を生成することができる。ユーザ情報からは、これから提供情報を提供するユーザの家族構成やグループ構成が判るため、例えば、子供がいるのか、祖父母と同居しているのか、グループ内を女性が占める割合、年齢層などのように、ユーザの様々な生活環境が特定又は推測できる。提供情報制御部３２１は、このような生活環境から、ユーザに適した情報を絞り込むことができる。例えば、提供情報制御部３２１は、提供情報が広告である場合、その広告内容のジャンルや、広告に示される商品や役務の価格帯などを絞り込み、提供情報を取得することができる。例えば、提供情報制御部３２１は、ユーザ情報からグループ内の他のユーザの誕生日を特定し、誕生日が近いユーザに対するプレゼントを提案する広告を、ユーザに提供することも可能である。
また、例えば、提供情報制御部３２１は、ユーザがしている行動に応じた提供情報を生成することもできる。メッセージに含まれる時間帯や位置情報からは、ユーザがしている行動、例えば、仕事（出勤中・仕事中・帰宅中）、学校、遊び、旅行などある程度の行動を特定又は推測できる。提供情報制御部３２１は、このようなユーザの行動から、ユーザに適した情報を絞り込むことができる。例えば、提供情報制御部３２１は、ユーザが会社帰りの場合、そのユーザに電車の中吊り広告と連動した広告を提供することができる。また、例えば、提供情報制御部３２１は、ユーザが旅行中の場合、旅行中の観光地の情報、旅行していないユーザに対するお土産（商品）やその店舗の広告などをユーザに提供することも可能である。更にまた、提供情報制御部３２１は、例えば、ユーザの行動に応じて、ユーザの位置及び時間帯から、そのユーザが利用する可能性がある店舗・交通機関・イベントなどの情報を提供することもかのうである。
また、例えば、提供情報制御部３２１は、ユーザの属性や行動に応じてニュースなどの情報を提供することも可能である。例えば、提供情報制御部３２１は、ユーザが子供である場合、受験や試験・テレビ番組・ゲーム・漫画などのニュースを提供し、ユーザが大人であり仕事帰りの場合、経済ニュースなどを提供することも可能である。更に例えば、提供情報制御部３２１は、メッセージの文字情報に含まれる特定の文字列を検索して、その文字列に関連する広告や情報をユーザに提供することも可能である。
更にまた、例えば、提供情報制御部３２１は、携帯端末２００を操作するユーザの操作履歴を取得して、その履歴に応じてユーザの興味がありそうな情報を提供することも可能である。なお、この操作履歴には、例えば、携帯端末２００でアクセスしたことのある他のホームページや携帯端末２００で購入したことのある商品などが挙げられる。
【００５６】
以上例示したように、提供情報制御部３２１は、メッセージに含まれる情報と、登録されたユーザ情報とに基づいて、個々のユーザにとって有益な情報を選択して、ユーザに提供することができる。なお、メッセージを送信する場合、ユーザは、そのメッセージを生成する操作をするために、表示画面を注視していることが多い。よって、提供情報制御部３２１は、見られるかどうか判らない他の広告などに比べて、ユーザが情報を見る確率を高めつつ、個々のユーザに応じた情報を提供することが可能である。
【００５７】
なお、この提供情報制御部３２１が提供情報を携帯端末２００に送信するタイミングは、携帯端末２００がサーバ３００にアクセスした時点又は直後が望ましい。つまり、上述の通り、携帯端末２００は、端末情報を送信する際に、サーバ３００にアクセスし、アクセスした時点でメッセージ（端末情報）の少なくとも一部（送信情報及びＩＤ情報）をサーバ３００に送信する。従って、端末情報取得部３０１がそのメッセージを取得した後、提供情報制御部３２１は、提供情報を生成して携帯端末２００に送信する。そして、携帯端末２００は、メッセージの残り（文字情報、設定情報及び端末コンテンツ）を生成する際に、表示部２１０に提供情報を表示させる（図３参照。）。なお、この提供情報を送信するタイミングは、例えば、携帯端末２００から１つのメッセージ全てを取得した後であってもよい。この場合、携帯端末２００は、メッセージの送信後に提供情報を表示することになる。
【００５８】
（映像表示装置１００）
図５は、本発明の一実施形態に係る映像表示装置について説明するための説明図である。
図５に示すように、映像表示装置１００は、表示部１１０と、コンテンツ取得部１１１と、コンテンツ制御部１１２と、ユーザ情報記憶部１２１と、端末情報取得部１３１と、端末情報制御部１４０と、を有する。
【００５９】
コンテンツ取得部１１１は、放送局３で放送された映像コンテンツや、外部入力ラインを介して入力する映像コンテンツ、有線放送された映像コンテンツなどを取得して、コンテンツ制御部１１２に映像コンテンツを出力する。この際、コンテンツ取得部１１１は、ユーザの操作に応じて、映像コンテンツを取得するチャンネル（例えば周波数帯など）又は外部入力ラインなどを切替え、その切替えた先から入力する映像コンテンツを取得する。より具体的なコンテンツ取得部１１１の例について説明すると以下の通りである。つまり、コンテンツ取得部１１１は、例えば、チューナ・アナログデジタル変換部・デマルチプレクサ・デコーダ（復調部）などを備える。そして、コンテンツ取得部１１１は、チューナをユーザの操作に応じて選択したチャンネルの周波数帯にチューニングし、その周波数帯における放送信号をアンテナ２より取得する。更に、コンテンツ取得部１１１は、取得した放送信号をアナログデジタル変換部でデジタル信号に変換する。デジタル信号は、デマルチプレクサにより、動画又は静止画データ・音声データ・属性情報などに分離され、コンテンツ制御部１１２に出力される。
【００６０】
コンテンツ制御部１１２は、コンテンツ取得部１１１から取得した映像コンテンツを表示部（表示画面）１１０に表示させる。その結果、映像表示装置１００は、映像コンテンツを表示画面に表示することができる。
【００６１】
ユーザ情報記憶部１２１には、予めユーザ情報が記録される。この記録は、映像表示装置１００によりユーザの操作に応じて行われてもよく、携帯端末２００によりユーザの操作に応じて行われてもよい。このように予めグループ内のユーザを登録しておくことにより、各ユーザ情報に応じた動作が可能となる。
【００６２】
端末情報取得部１３１は、サーバ３００の端末情報記憶部３０２に記録されたメッセージ（端末情報）を取得する。この際、端末情報取得部１３１は、例えば、常時サーバ３００に接続していてもよいが、定期的にサーバ３００をポーリングしてメッセージを取得することも可能である。ポーリングする場合、端末情報取得部１３１は、一定の時間が経過した時点で、サーバ３００にアクセスし、端末情報記憶部３０２に記録されたメッセージを取得する。この際、端末情報取得部１３１は、例えば、端末情報記憶部３０２に記録されたメッセージ中、前回アクセスした時点から新たに追加されたメッセージ又は更新されたメッセージを取得することも可能である。また、端末情報取得部１３１は、ユーザ情報記憶部１２１に記録された各ユーザ情報の端末ＩＤをキーワードとして、その端末ＩＤを有するメッセージのみを取得する。従って、映像表示装置１００は、その映像表示装置１００を視聴するグループに属するユーザから送信されたメッセージのみを取得することができる。なお、このようなメッセージの選択機能は、サーバ３００が有していてもよい。
【００６３】
端末情報制御部１４０は、端末情報取得部１３１が取得したメッセージを表示部１１０に表示させる。この際、端末情報制御部１４０は、そのメッセージを送信した携帯端末２００のユーザ情報に基づいて、メッセージを表示させる。このようにユーザ情報に基づいてメッセージを表示させることにより、各メッセージを関連付けて表示することができる。
【００６４】
この端末情報制御部１４０が表示部１１０に表示させる画像の一例を図６に示す。図６は、本実施形態に係る映像表示装置１００が表示画面に表示させる画像の一例を説明するための説明図である。
【００６５】
表示画面の表示部１１０の映像表示エリアＡには、コンテンツ制御部１１２により映像コンテンツが表示されている。そして、端末情報制御部１４０は、この表示部１１０の一部に、メッセージを表示するためのメッセージ表示エリアを表示させる。図６では、このメッセージ表示エリアとして、端末情報制御部１４０が掲示板を模した画像を表示させる場合を示している。このメッセージ表示エリアをここでは「掲示板Ｂ」ともいう。なお、メッセージ表示エリアは、この掲示板Ｂに限定されるものではなく、様々な形式で表示されうる。
【００６６】
端末情報制御部１４０は、例えば、端末情報取得部１３１が取得したメッセージのそれぞれを、掲示板Ｂにピン留めされたカード（紙片）Ｍ１〜Ｍ６の形態で表示させる。端末情報制御部１４０は、メッセージの設定情報に表されたカードの色（例えば２は黄色など）と、文字の色（例えば１は黒色など）とに応じて、その色のカードＭ１〜Ｍ６を表示させ、そのカードＭ１〜Ｍ６上に、その色の文字で文字情報を表示させる。なお、例えば、カードの色や文字の色などの設定情報は、メッセージ（端末情報）に定められる代わりに、ユーザ情報に定められていてもよい。この場合、端末情報制御部１４０は、メッセージの端末ＩＤから、その端末ＩＤが対応しているユーザ情報を取得する。そして、端末情報制御部１４０は、そのユーザ情報に基づいて、各メッセージ、つまり、カードＭ１〜Ｍ６を表示させる。端末情報制御部１４０は、このようにユーザ毎又はメッセージ毎にカードＭ１〜Ｍ６又は文字の色を変更することにより、ユーザやメッセージを視覚的に判りやすく、かつ、文字のみでは伝わり難い情報をも提供することが可能である。この際、端末情報制御部１４０は、各カードＭ１〜Ｍ６を整然と整列させて表示するのではなく、各カードＭ１〜Ｍ６を多少ランダムな位置及び角度で配置する。また、このように各カードＭ１〜Ｍ６を表示させることにより、端末情報制御部１４０は、実際の掲示板を模した掲示板Ｂと共に、より現実の掲示板に近い形態でメッセージを表示することができ、各メッセージの閲覧性を高めることができる。
【００６７】
また、端末情報制御部１４０は、上記の場合以外でも、メッセージの端末ＩＤから、その端末ＩＤが対応しているユーザ情報を取得する。そして、端末情報制御部１４０は、このユーザ情報に含まれる情報を、カードＭ１〜Ｍ６上に表示させる。なお、図６では、端末情報制御部１４０がユーザのニックネームをカードＭ１〜Ｍ６上に表示させている場合を示している（例えば「とか」、「まさみ」、「まい」など）。他にも、端末情報制御部１４０は、例えば、ユーザの誕生日から、メッセージの時刻情報がそのユーザの誕生日の当日であったり近いことを判断して、誕生日である旨を文字やマークにより表示することも可能である。また、他にもユーザ情報に、予め各ユーザのスケジュールを登録し、そのスケジュールと時刻情報又は位置情報から、ユーザの行動内容を表示させることも可能である。この場合、ユーザのスケジュールは、携帯端末２００から端末情報として取得されてもよく、予め携帯端末２００と映像表示装置１００とがデータを同期させることにより取得されてもよい。また、他にもユーザ情報に時刻アラーム情報を含めることもできる。時刻アラーム情報には、日時又は時刻とアラームの内容とが示されており、端末情報制御部１４０は、その日時又は時刻に所定の条件が満たされていない場合に、表示部１１０にアラーム内容を表した警告表示を行うこともできる。例えば、携帯端末２００のユーザに門限が設定されている場合、この時刻アラーム情報としては、門限までに帰宅して映像表示装置１００を操作しない場合、表示画面に警告表示として未帰宅であることを視聴者に通知するような情報が挙げられる。他にも例えば、時刻アラーム情報として所定の時刻までに所定の位置情報を含むメッセージをユーザが送信しない場合には、その旨を通知する情報を使用することも考えられる。この場合、例えば、外回りの営業を行っている社員の行動を管理したり、通学する子供が学校と熟などに定刻に到着しているかなど家族の行動を管理することにも使用可能である。
【００６８】
また、端末情報制御部１４０は、メッセージにマークの情報が含まれる場合、そのマークの情報に応じたマーク（例えば１は笑顔など）Ｔ１〜Ｔ３を、カードＭ１〜Ｍ６に添付して表示する。従って、端末情報制御部１４０は、例えば、メッセージを送信した際のユーザの心理状態や感情などを、端的かつ直感的に表示させることができる。
【００６９】
また、端末情報制御部１４０は、メッセージに地図情報が含まれる場合、そのメッセージのカードＭ１〜Ｍ６に、地図を表示させるためのボタンＢ３を表示させる。そして、端末情報制御部１４０は、ユーザのリモコン４に対する操作が地図の表示を選択した場合（例えば、ボタンＢ３が選択された場合）、図７に示すように、その地図ＭＡＰ１を表示部１１０に表示させる。その後、端末情報制御部１４０は、ユーザのリモコン４に対する操作が地図の表示を更に選択した場合、図８に示すように、地図情報に表された地図（例えば地図ＭＡＰ１よりも拡大した地図や広域の地図）ＭＡＰ２を表示部１１０に表示させる。従って、端末情報制御部１４０は、各メッセージが送信された位置を、映像表示装置１００を視ているユーザに通知することができる。
【００７０】
また、端末情報制御部１４０は、メッセージに端末コンテンツが含まれる場合、そのメッセージのカードＭ１〜Ｍ６に、端末コンテンツを表示させるためのボタンＢ４を表示させる。そして、端末情報制御部１４０は、ユーザのリモコン４に対する操作が端末コンテンツの表示を選択した場合（例えば、ボタンＢ４が選択された場合）、図９に示すように、その端末コンテンツＰＩＣ１を表示部１１０に表示させる。その後、端末情報制御部１４０は、ユーザのリモコン４に対する操作が端末コンテンツの表示を更に選択した場合、図１０に示すように、端末コンテンツ（例えば端末コンテンツＰＩＣ１よりも拡大したコンテンツ）ＰＩＣ２を表示部１１０に表示させる。なお、端末コンテンツが動画や音声であり、ボタンＢ４が選択された場合、端末情報制御部１４０は、そのコンテンツを再生することになる。従って、端末情報制御部１４０は、各メッセージに添付された端末コンテンツをも表示させることができる。よって、文字情報だけでなく、他のコンテンツをも共有することが可能である。
【００７１】
このように掲示板Ｂにメッセージを表示させている間も、映像表示装置１００は、掲示板Ｂ以外の映像表示エリアＡに映像コンテンツを共に表示させる。従って、映像表示装置１００は、単にメッセージ又は映像コンテンツのどちらか一方を表示させるだけでなく、両者を同時にユーザに提供することが可能である。このことは、更に、例えば、映像表示装置１００上に、掲示板Ｂを常に表示させることを可能にする。映像表示装置１００は、例えば、コンピュータなどに比べて、グループ内で共有されることが多く、かつ、常時動作させられることも多い。一方、このような映像表示装置１００は、映像コンテンツを表示するという本来の機能を損なうことなく、掲示板Ｂを常時表示することが可能である。従って、このようなシステムによれば、携帯性が高く各ユーザのそれぞれが所有するような携帯端末２００で端末情報（メッセージ、掲示板Ｂに書き込むための情報）を生成して、公共性が高く常時表示するような映像表示装置１００でその端末情報を表示する。よって、このようなシステムは、更に効果的にグループ内の情報共有を促進させることができる。
【００７２】
この掲示板Ｂを表示させる際、映像表示装置１００の端末情報制御部１４０は、各メッセージ及びユーザ情報の少なくとも一方に基づいて、複数のメッセージを相互に関連付けて表示部１１０に表示させることができる。この複数のメッセージの関連付けについては、様々な形態が考えられる。この関連づけの例を以下に説明する。
【００７３】
図６では、端末情報制御部１４０は、例えば、各メッセージの送信時間に応じて、メッセージの着信順に各カードＭ１〜Ｍ６を表示させている。図６の例の場合、例えば、新たなメッセージを端末情報取得部１３１が取得すると、端末情報制御部１４０は、そのメッセージの最上段に表示させる。そして、端末情報制御部１４０は、他のメッセージＭ１〜Ｍ５の位置を順次繰り下げ、かつ、最後段に表示させていたメッセージＭ６を表示部１１０から消す。このような表示をさせることにより、端末情報制御部１４０は、新着メッセージを強調しつつ、時系列に沿った既着メッセージをも表示することができる。なお、端末情報制御部１４０は、ユーザの操作に応じて、現在表示されていないメッセージをも表示させることも可能である。
【００７４】
また、複数のカードＭ１〜Ｍ６の関連付けの他の例として、端末情報制御部１４０は、ユーザ情報に応じて、例えば、各ユーザ毎にカードＭ１〜Ｍ６を纏めて表示させることも可能である。この場合、各ユーザには、掲示板Ｂ上に個々のエリアが割り当てられており、端末情報制御部１４０は、各メッセージのカードＭ１〜Ｍ６をその割り当てられたエリアに表示する。複数のメッセージが同一のユーザから送信された場合、端末情報制御部１４０は、例えば、そのユーザのエリアにカードを重畳させて表示する。このように表示させることにより、端末情報制御部１４０は、各ユーザからの新着メッセージを常に表示することが可能となる。
【００７５】
更にユーザ毎に情報を纏めて表示する場合、端末情報制御部１４０は、例えば、各カードＭ１〜Ｍ６に、メッセージを追記していくことも可能である。つまり、端末情報制御部１４０は、既に表示させているメッセージと同一のユーザ（携帯端末２００）から新たなメッセージが取得された場合、既に表示されているメッセージに、新たなメッセージを１つのカードに追加して表示する。このような例では、端末情報制御部１４０は、例えば、１つのメッセージで文字情報が送信され、次のメッセージで端末コンテンツが送信された場合、両者を結合させて１つのカードとして表示させることが可能である。一方、メッセージを纏めて表示しない場合でも、例えば、携帯端末２００が生成するメッセージに複数のメッセージを統合するか否かの情報を含めることにより、同様に１つのカードで複数のメッセージを表示させることも可能である。
【００７６】
更にユーザ毎に情報を纏めて表示し、かつ、纏める複数のメッセージに地図情報が含まれる場合、端末情報制御部１４０は、例えば、その複数の地図情報を結合させて一の地図を生成して表示させることも可能である。この場合、地図情報には、メッセージが送信された位置が複数示される。よって、端末情報制御部１４０は、携帯端末２００を有するユーザがどのように移動したのかを表した軌跡をも表示させることができる。
【００７７】
このように端末情報制御部１４０は、メッセージ及びユーザ情報に基づいて、複数のメッセージを関連付けて表示させることができる。従って、映像表示装置１００は、更に効果的にユーザに様々な情報を提供することができるので、ユーザは、映像表示装置１００を様々な用途に使用することができる。
【００７８】
＜一実施形態の動作＞
以上、本発明の一実施形態に係るシステムの各構成について説明した。
次に、図１１を参照しつつ、本発明の一実施形態に係る映像表示装置１００の動作について説明する。図１１は、本実施形態に係る映像表示装置の動作について説明するための説明図である。
【００７９】
図１１に示すように、まず、コンテンツ取得部１１１及びコンテンツ制御部１１２が、表示部１１０に映像コンテンツを表示させている（コンテンツ表示ステップ）際に、端末情報制御部１４０等が動作を開始すると、ステップＳ０１が処理される。このステップＳ０１において、端末情報取得部１３１が、サーバ３００の端末情報記憶部３０２にアクセスし、メッセージ（端末情報）に変更があったか、又は、新着メッセージが存在するかを確認する。メッセージに変更があった場合及び新着メッセージが存在する場合には、ステップＳ０３に進み、そのようなメッセージがない場合には、ステップＳ１１に進む。
【００８０】
メッセージに変更があり、新着メッセージが存在して、ステップＳ０３に進んだ場合、ステップＳ０３では、端末情報取得部１３１が、サーバ３００の端末情報記憶部３０２からそのメッセージを取得する（端末情報取得ステップ）。そして、ステップＳ０５に進む。
【００８１】
ステップＳ０５では、端末情報制御部１４０が、メッセージが送信されてきた携帯端末２００のユーザ情報を、ユーザ情報記憶部１２１から取得する。そして、ステップＳ０７に進む。
【００８２】
ステップＳ０７では、端末情報制御部１４０が、そのメッセージの表示形態を特定する。上述の通り、端末情報制御部１４０は、メッセージ及びユーザ情報に基づいて、様々な形態でメッセージを表示させることができる。つまり例えば、端末情報制御部１４０は、メッセージにユーザ情報のニックネームを付加したり、複数のメッセージを関連付けて表示したりすることができる。そこで、このステップＳ０７において、端末情報制御部１４０は、メッセージ及びユーザ情報に基づいてこの表示形態を特定する。この表示形態を指定する情報については、例えば、予め映像表示装置１００自体に設定されていてもよく、その都度変更されてもよく、ユーザ情報に含まれていてもよく、又は、携帯端末２００が送信するメッセージの設定情報などに含まれていてもよい。そしてこのステップＳ０７の処理後は、ステップＳ０９に進む。
【００８３】
ステップＳ０９では、端末情報制御部１４０が、ステップＳ０７で決定した表示形態で、表示部１１０に変更又は新着メッセージのカードを表示させて、掲示板Ｂを更新する（端末情報表示ステップ）。そして、ステップＳ１１に進む。
【００８４】
ステップＳ１１では、端末情報取得部１３１が、ステップＳ０１を処理してから一定時間経過したか否かを確認する。そして、一定時間経過した場合には、ステップＳ０１以降の処理が繰り返される。一方、一定時間経過していない場合には、一定時間経過するまで、ステップＳ１１が繰り返し処理され、映像表示装置１００は、映像コンテンツを表示しつつ、掲示板Ｂをも表示させる。
【００８５】
＜一実施形態による効果の例＞
以上、本発明の一実施形態に係るシステム１及び映像表示装置１００等について説明した。このシステム１によれば、特定のグループ内で共有されるような映像表示装置１００に、映像コンテンツと共に、メッセージ（端末情報）を違和感なく表示させることができる。そして、そのメッセージは、グループ内の個々のユーザが所有するような携帯端末２００で生成され、かつ、映像表示装置１００により、各メッセージのユーザ情報に基づいて、ユーザを特定した表示が行われる。従って、個々のユーザは、どこからでも、それぞれの携帯端末２００から、メッセージを送信することができ、かつ、そのメッセージをグループ内で公共性の高い映像表示装置１００に表示させることができる。よって、特定のグループ内での情報の共有が促進され、より効率的に情報を共有することができる。例えば、各ユーザは他のユーザと共有すべき情報を忘れないうちに表示させるなど、備忘録として機能することも可能である。
【００８６】
また、このような映像表示装置１００は、常時映像コンテンツを表示させつつ、メッセージを表示させることができる。そして、映像表示装置１００は、メッセージを適宜更新することができる。よって、映像表示装置１００に表示されるメッセージは、メッセージが表示される都度、自動的に更新される。従って、ユーザが常時メッセージを更新する操作を行う必要はなく、ユーザは他の作業をしながらメッセージを取得することができ、ユーザの操作性を向上することができる。
【００８７】
なお、例えば、コンピュータの掲示板サイトなどでは、情報は、個々のユーザが所有するコンピュータで閲覧する必要があり、実際の掲示板と比べても使い勝手がよくない。また、コンピュータの掲示板サイトでは、掲示板にアクセスするか否かは各個人の自由であり、掲示板を特定のグループの複数のユーザに提供するという意味でも情報の共有が十分なされていない。しかしながら、本実施形態に係るシステム１によれば、掲示板サイトなどと比べても、より実際の掲示板に近い形で、情報を提供しつつ、携帯端末２００が通信できる位置であれば如何なる位置でも掲示板への書込を可能にすることができる。また、システム１によれば、常時動作されることが多い映像表示装置１００にメッセージを表示させ、かつ、そのメッセージは自動的に更新される。よって、このシステム１によれば、特定のグループの複数のユーザは、情報を更に効果的かつ効率的に共有することができる。また、このシステム１は、上記のようなコンピュータによる掲示板サイトよりも、利便性を向上させることが可能である。
【００８８】
また、このシステム１によれば、各ユーザは、日頃使い慣れており、文字入力をすることにも慣れている携帯端末２００を使用して、メッセージを入力することができる。よって、更にユーザの操作性を向上させることができる。
【００８９】
また、このシステム１によれば、メッセージが送信された位置・時間・内容等、及び、メッセージを送信したユーザ情報とに基づいて、携帯端末２００にユーザにとって有益な情報を取捨選択して提供することができる。したがって、提供情報を無作為に提供する場合と比べて、よりユーザにとって有益な提供情報を提供することができる。そして、この提供情報は、ユーザが実際に操作している携帯端末２００に表示されるので、このシステム１によれば、提供情報の閲覧頻度を高めることができる。
【００９０】
また、ユーザ情報の端末ＩＤなどを使用して、メッセージを取得するため、特定の映像表示装置１００と特定の携帯端末２００との間の情報共有が可能となり、各メッセージの秘匿性及びプライバシーを向上させることができる。
【００９１】
以上、添付図面を参照しながら本発明の好適な実施形態について詳細に説明したが、本発明はかかる例に限定されないことは言うまでもない。本発明の属する技術の分野における通常の知識を有する者であれば、特許請求の範囲に記載された技術的思想の範疇内において、各種の変更例または修正例に想到し得ることは明らかであり、これらについても当然に本発明の技術的範囲に属するものと了解される。
【００９２】
例えば、上記実施形態では、映像表示装置１００の表示部１１０に掲示板Ｂの携帯でメッセージが表示される場合について説明した。しかしながら、本発明はこの例に限定されるものではない。例えば、このメッセージは、携帯端末２００の表示部２１０に表示されてもよい。この場合、携帯端末２００は、例えば、ユーザ情報記憶部１２１，端末情報取得部１３１及び端末情報制御部１４０と同様の構成を有することにより、掲示板Ｂを表示することができる。
【００９３】
また、上記実施形態では、１つのサーバ３００が端末情報取得部３０１等と、提供情報制御部３２１及び提供情報記憶部３２２とを有する場合について説明した。しかしながら、提供情報制御部３２１及び提供情報記憶部３２２は、別体の他のサーバ（例えば提供情報生成サーバ）であってもよい。この場合、この他のサーバは、サーバ３００からメッセージとユーザ情報とを取得し、そのメッセージ及びユーザ情報から提供情報を生成し、その提供情報を携帯端末２００に送信してもよい。
【００９４】
また、上記実施形態では、サーバ３００が地図情報生成部３０３を備える場合について説明した。しかしながら、この地図情報生成部３０３は、例えば、携帯端末２００が備えてもよく、映像表示装置１００が備えることも可能である。携帯端末２００が地図情報生成部３０３を備える場合、携帯端末２００は、位置情報を使用して予め地図情報を生成し、メッセージに初めから付加することができる。一方、映像表示装置１００が地図情報生成部３０３を備える場合、映像表示装置１００は、メッセージを取得するとそのメッセージに含まれる位置情報から、地図情報を生成して端末情報制御部１４０に提供してもよい。
【００９５】
また、上記各実施形態で説明した一連の処理は、専用のハードウエアにより実行させてもよいが、アプリキャストやウィジェットなどのソフトウエア（アプリケーション）により実行させてもよい。一連の処理をソフトウエアにより行う場合、汎用又は専用のコンピュータにプログラムを実行させることにより、上記の一連の処理を実現することができる。コンピュータは、ＣＰＵ（Ｃｅｎｔｒａｌ  Ｐｒｏｃｅｓｓｉｎｇ  Ｕｎｉｔ）と、ＨＤＤ（Ｈａｒｄ  Ｄｉｓｋ  Ｄｒｉｖｅ）・ＲＯＭ（Ｒｅａｄ  Ｏｎｌｙ  Ｍｅｍｏｒｙ）・ＲＡＭ（Ｒａｎｄｏｍ  Ａｃｃｅｓｓ  Ｍｅｍｏｒｙ）等の記録装置と、ＬＡＮ（Local  Area  Network）・インターネット等のネットワークに接続された通信装置と、リモートコントローラ・マウス・キーボード等の入力装置と、フレキシブルディスク等の磁気ディスク、各種のＣＤ（Ｃｏｍｐａｃｔ  Ｄｉｓｃ）・ＭＯ（Ｍａｇｎｅｔｏ  Ｏｐｔｉｃａｌ）ディスク・ＤＶＤ（Ｄｉｇｉｔａｌ  Ｖｅｒｓａｔｉｌｅ  Ｄｉｓｃ）等の光ディスク、半導体メモリ等のリムーバブル記憶媒体等を読み書きするドライブと、モニタなどの表示部・スピーカやヘッドホンなどの音声出力装置などの出力装置等と、を有してもよい。そして、このコンピュータは、記録装置・リムーバブル記憶媒体に記録されたプログラム、又はネットワークを介して取得したプログラムを実行することにより、上記一連の処理を実行してもよい。
【００９６】
尚、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【図面の簡単な説明】
【００９７】
【図１】本発明の一実施形態に係るシステムの概要を説明するための説明図である。
【図２】同実施形態に係る携帯端末について説明するための説明図である。
【図３】同実施形態に係る携帯端末が表示画面に表示させる画像の一例を説明するための説明図である。
【図４】同実施形態に係るサーバについて説明するための説明図である。
【図５】同実施形態に係る映像表示装置について説明するための説明図である。
【図６】同実施形態に係る映像表示装置が表示画面に表示させる画像の一例を説明するための説明図である。
【図７】同実施形態に係る映像表示装置が表示画面に表示させる画像の一例を説明するための説明図である。
【図８】同実施形態に係る映像表示装置が表示画面に表示させる画像の一例を説明するための説明図である。
【図９】同実施形態に係る映像表示装置が表示画面に表示させる画像の一例を説明するための説明図である。
【図１０】同実施形態に係る映像表示装置が表示画面に表示させる画像の一例を説明するための説明図である。
【図１１】同実施形態に係る映像表示装置の動作について説明するための説明図である。
【符号の説明】
【００９８】
１        システム
２        アンテナ
３        放送局
４        リモコン
５        ネットワーク
６        基地局
１００    映像表示装置
１１０    表示部
１１１    コンテンツ取得部
１１２    コンテンツ制御部
１２１    ユーザ情報記憶部
１３１    端末情報取得部
１４０    端末情報制御部
２００    携帯端末
２０１    端末情報制御部
２０２    端末情報記憶部
２０３    表示制御部
２１０    表示部
３００    サーバ
３０１    端末情報取得部
３０２    端末情報記憶部
３０３    地図情報生成部
３１１    ユーザ情報取得部
３１２    ユーザ情報記憶部
３２１    提供情報制御部
３２２    提供情報記憶部
Ａ        映像表示エリア
Ｂ        掲示板
ＩＭ      メッセージ記入欄
Ｂ１，Ｂ２，Ｂ３，Ｂ４    ボタン
Ｃ１，Ｃ２    入力部
Ｐ        提供情報エリア
【図１】
2010061416.tif 000005
【図２】
2010061416.tif 000006
【図３】
2010061416.tif 000007
【図４】
2010061416.tif 000008
【図５】
2010061416.tif 000009
【図６】
2010061416.tif 000010
【図７】
2010061416.tif 000011
【図８】
2010061416.tif 000012
【図９】
2010061416.tif 000013
【図１０】
2010061416.tif 000014
【図１１】
2010061416.tif 000015